(57)【特許請求の範囲】
【請求項１】
解体すべき建物の垂直方向に沿って設けられた垂直支持部材と、
前記解体すべき建物の水平方向に沿って延びており、トラス構造を有する複数の水平トラス部材から構成され、前記垂直支持部材に支持される水平支持部材と、
前記水平支持部材に支持され、前記解体すべき建物を上方から覆う養生部材と、
を備え、
前記垂直支持部材は、前記解体すべき建物の側面部に沿って設けられた作業用足場を含み、
前記各水平トラス部材は、独立して垂直方向位置を変更することが可能である建物解体時の養生システム。
【請求項２】
前記作業用足場は、前記解体すべき建物の一対の対向する側面部に沿って設けられた第１の作業用足場を有し、対向する前記各第１の作業用足場は、前記水平支持部材により繋止されている請求項１に記載の建物解体時の養生システム。
【請求項３】
前記作業用足場は、前記解体すべき建物の一対の対向する側面部に対して異なる方向に延びる前記解体すべき建物の側面部に沿って設けられた第２の作業用足場を有し、
前記第１の作業用足場と前記第２の作業用足場との間に空間部を有する請求項２に記載の建物解体時の養生システム。
【請求項４】
前記水平トラス部材の垂直方向位置を変更するためのホイストをさらに備える請求項１〜３のいずれか一項に記載の建物解体時の養生システム。
【請求項５】
前記垂直支持部材は、前記解体すべき建物の上部から垂直方向に沿って延び、トラス構造を有する柱状部材を含む請求項１〜４のいずれか一項に記載の建物解体時の養生システム。
【請求項６】
前記水平トラス部材は、アルミニウム合金により形成されている請求項１〜５のいずれか一項に記載の建物解体時の養生システム。
【請求項７】
解体すべき建物の垂直方向に沿って、前記解体すべき建物の側面部に沿って設けられた作業用足場を含む垂直支持部材を設ける工程と、
前記垂直支持部材を設ける工程の後で、前記垂直支持部材に支持され、前記解体すべき建物の水平方向に沿って延びており、トラス構造を有する複数の水平トラス部材から構成され、前記各水平トラス部材は独立して垂直方向位置を変更することが可能である、水平支持部材を設ける工程と、
前記水平支持部材を設ける工程の後で、前記水平支持部材に支持され前記解体すべき建物を上方から覆う養生部材を設ける工程と、
前記養生部材を設ける工程の後で、前記解体すべき建物を解体する工程と
を有する解体すべき建物の解体方法。
【請求項８】
前記解体すべき建物を解体する工程は、前記解体すべき建物の解体が進捗したことにより前記解体すべき建物の高度が変化した場合に、前記水平支持部材の垂直方向位置を変更する工程を有する請求項７に記載の解体すべき建物の解体方法。
【請求項９】
前記垂直支持部材は、前記解体すべき建物の上部から垂直方向に沿って延び、トラス構造を有する柱状部材を含み、
前記解体すべき建物を解体する工程は、前記水平支持部材の垂直方向位置を変更する工程の後で、前記解体すべき建物の上部のうち前記柱状部材が設けられている位置以外を解体する工程と、次に、前記解体すべき建物の上部のうち前記柱状部材が設けられている位置を解体する工程と、次に、前記柱状部材を下降させる工程とを含む請求項７又は８に記載の解体すべき建物の解体方法。
【請求項１０】
前記作業用足場を設ける工程は、前記解体すべき建物の少なくとも１つの側面部に沿う第１の作業用足場と、前記少なくとも１つの側面部に対して異なる方向に延びる前記解体すべき建物の側面部に沿う第２の作業用足場とを、前記第１の作業用足場と前記第２の作業用足場との間に空間部が存在するように設ける工程を含む請求項７〜９のいずれか一項に記載の解体すべき建物の解体方法。
【発明の詳細な説明】
【技術分野】
【０００１】
この発明は、建物解体時の養生システム及び解体すべき建物の解体方法に関する。
【背景技術】
【０００２】
建物解体時に発生する粉塵や建築材料の破片の飛散を防止する目的で、解体すべき建物を覆う養生ネットを張るための建物解体時の養生システムが知られている。特許文献１に記載されている建物解体時の養生システムは、一対の鉄骨柱の間に張られたワイヤーに取り付けられた養生ネットにより解体すべき建物を覆っている。
【先行技術文献】
【特許文献】
【０００３】
【特許文献１】特開２００７−２７０４３２号公報
【発明の概要】
【発明が解決しようとする課題】
【０００４】
しかしながら、特許文献１に示す建物解体時の養生システムのように、ワイヤーに取り付けられた養生ネットを用いて解体すべき建物をその上方から覆う場合には、養生ネットの重量によりワイヤーが下方にたわむことで、建物の上方に水平方向に張った養生ネットも下方にたわむ。これにより、解体すべき建物の最上部に対する養生ネットの高さが低くなり、重機の自由な移動を阻害して建物解体工事の作業効率が低下する可能性があるという問題点があった。
【０００５】
この発明はこのような問題を解決するためになされたものであり、養生ネットの下方へのたわみを防止し、建物解体工事の作業効率を向上させることを目的とする。
【課題を解決するための手段】
【０００６】
上記の課題を解決するために、この発明に係る建物解体時の養生システムは、解体すべき建物の垂直方向に沿って設けられた垂直支持部材と、解体すべき建物の水平方向に沿って延びており、トラス構造を有する複数の水平トラス部材から構成され、垂直支持部材に支持される水平支持部材と、水平支持部材に支持され、解体すべき建物を上方から覆う養生部材とを備え、垂直支持部材は、解体すべき建物の側面部に沿って設けられた作業用足場を含み、各水平トラス部材は、独立して垂直方向位置を変更することが可能である。
【０００７】
また、作業用足場は、解体すべき建物の一対の対向する側面部に沿って設けられた第１の作業用足場を有し、対向する各第１の作業用足場は、水平支持部材により繋止されていてもよい。
また、作業用足場は、解体すべき建物の一対の対向する側面部に対して異なる方向に延びる解体すべき建物の側面部に沿って設けられた第２の作業用足場を有し、第１の作業用足場と第２の作業用足場との間に空間部を有してもよい。
また、水平トラス部材の垂直方向位置を変更するためのホイストをさらに備えてもよい。
また、垂直支持部材は、解体すべき建物の上部から垂直方向に沿って延び、トラス構造を有する柱状部材を含んでもよい。
また、水平トラス部材は、アルミニウム合金により形成されていてもよい。
【０００８】
また、上記の課題を解決するために、この発明に係る解体すべき建物の解体方法は、解体すべき建物の垂直方向に沿って、解体すべき建物の側面部に沿って設けられた作業用足場を含む垂直支持部材を設ける工程と、垂直支持部材を設ける工程の後で、垂直支持部材に支持され、解体すべき建物の水平方向に沿って延びており、トラス構造を有する複数の水平トラス部材から構成され、各水平トラス部材は独立して垂直方向位置を変更することが可能である、水平支持部材を設ける工程と、水平支持部材を設ける工程の後で、水平支持部材に支持され解体すべき建物を上方から覆う養生部材を設ける工程と、養生部材を設ける工程の後で、解体すべき建物を解体する工程とを有する。
【０００９】
また、解体すべき建物を解体する工程は、前記解体すべき建物の解体が進捗したことにより前記解体すべき建物の高度が変化した場合に、前記水平支持部材の垂直方向位置を変更する工程を有してもよい。
また、垂直支持部材は、解体すべき建物の上部から垂直方向に沿って延び、トラス構造を有する柱状部材を含み、解体すべき建物を解体する工程は、水平支持部材の垂直方向位置を変更する工程の後で、解体すべき建物の上部のうち柱状部材が設けられている位置以外を解体する工程と、次に、解体すべき建物の上部のうち柱状部材が設けられている位置を解体する工程と、次に、柱状部材を下降させる工程とを含んでもよい。
また、作業用足場を設ける工程は、解体すべき建物の少なくとも１つの側面部に沿う第１の作業用足場と、少なくとも１つの側面部に対して異なる方向に延びる解体すべき建物の側面部に沿う第２の作業用足場とを、第１の作業用足場と第２の作業用足場との間に空間部が存在するように設ける工程を含んでもよい。
【発明の効果】
【００１０】
この発明に係る建物解体時の養生システム及び解体すべき建物の解体方法は、解体すべき建物の垂直方向に沿って設けられた垂直支持部材と、解体すべき建物の水平方向に沿って延びており、垂直支持部材に支持される水平支持部材とを設け、水平支持部材に養生部材が支持されるため、養生部材の下方へのたわみを防止し、建物解体工事の作業効率を向上させることができる。
【図面の簡単な説明】
【００１１】
【図１】本発明の実施の形態１に係る建物解体時の養生システムの正面概略図である。
【図２】図１に示す建物解体時の養生システムの平面図である。
【図３】図１に示す建物解体時の養生システムの上部の正面断面図である。
【図４】図２に示す建物解体時の養生システムの一部分を示す斜視図である。
【図５】図３に示す外周足場を上方から見た斜視図である。
【図６】図５に示す外周足場を下方から見た斜視図である。
【図７】図３に示す垂直トラスの上部を示す斜視図である。
【図８】本発明の実施の形態１に係る建物の解体方法を用いて建物を解体するときの第１の状態を示す正面断面図である。
【図９】本発明の実施の形態１に係る建物の解体方法を用いて建物を解体するときの第２の状態を示す正面断面図である。
【図１０】本発明の実施の形態１に係る建物の解体方法を用いて建物を解体するときの第３の状態を示す正面断面図である。
【図１１】本発明の実施の形態１に係る建物の解体方法を用いて建物を解体するときの第４の状態を示す正面断面図である。
【図１２】本発明の実施の形態１に係る建物の解体方法を用いて建物を解体するときの第５の状態を示す側面断面図である。
【図１３】本発明の実施の形態１に係る建物の解体方法を用いて建物を解体するときの第６の状態を示す正面断面図である。
【図１４】本発明の実施の形態１に係る建物の解体方法を用いて建物を解体するときの第７の状態を示す正面断面図である。
【図１５】本発明の実施の形態２に係る養生システムの平面図である。
【図１６】図１５に示す養生システムの正面図である
【図１７】図１５に示す養生システムを使用した建物の解体作業例である。
【発明を実施するための形態】
【００１２】
実施の形態１．
以下、本発明の建物解体時の養生システム及び建物の解体方法の実施の形態１について添付図面に基づいて説明する。
図１は、本発明に係る養生システムの正面概略図である。養生システム１は、解体すべき建物１０の解体工事において発生する粉塵の飛散、建物の構成部材の破片及び廃棄物等の飛散や落下を防止するために設けられている。養生システム１は、建物１０の側面部に沿って外周部に構築された防音パネル２１と、防音パネル２１の外周部に構築された作業用足場である外周足場２２と、建物１０の上方に構築された梁状部材である水平トラス３０と、柱状部材である垂直トラス４０と、水平トラス３０に支持されている水平養生ネット２３ａ及び垂直養生ネット２３ｂとを有している。水平トラス３０及び垂直トラス４０とは、一般にボックストラスと呼ばれる、全体として直方体状のトラス構造部材である。水平養生ネット２３ａ及び垂直養生ネット２３ｂは、建物１０の上方から建物１０の外周部を覆っている。なお、防音パネル２１、外周足場２２、垂直養生ネット２３ｂについては、説明の便宜のために詳細な形状の記載を省略している。また、外周足場２２は作業用足場及び垂直支持部材を構成しており、水平養生ネット２３ａ及び垂直養生ネット２３ｂは養生部材を構成しており、水平トラス３０は水平支持部材を構成しており、垂直トラス４０は柱状部材及び垂直支持部材を構成している。
【００１３】
図２は、図１に示す養生システム１の平面図である。なお、本実施の形態１では、図２における図面の横方向を矢印Ｘ方向とし、図２における図面の縦方向を矢印Ｙ方向とする。矢印Ｘ方向は建物１０の横方向に対応し、矢印Ｙ方向は建物１０の縦方向に対応する。外周足場２２は、建物１０の矢印Ｘ方向に延びる側面部に沿って設けられた外周足場２２と、建物１０の矢印Ｙ方向に延びる側面部に沿って設けられた外周足場２２とを含んでいる。建物１０の上方には、外周足場２２に近接し矢印Ｙ方向に沿って延びている２本の水平トラス３０と、外周足場２２に近接し矢印Ｘ方向に沿って延びている２本の水平トラス３０が設けられている。また、この矢印Ｙ方向に沿って延びる水平トラス３０の間に、矢印Ｙ方向に沿って延びる水平トラス３０が２本設けられ、この矢印Ｘ方向に沿って延びる水平トラス３０の間に、矢印Ｘ方向に沿って延びる水平トラス３０が２本設けられている。すなわち、建物１０の上方には矢印Ｙ方向に沿って計４本の水平トラス３０が設けられ、矢印Ｘ方向に沿って計４本の水平トラス３０が設けられている。また、垂直トラス４０は、計４本設けられている。建物１０の中央部においては、矢印Ｙ方向に沿って延びる水平トラス３０及び矢印Ｘ方向に沿って延びる水平トラス３０同士が直交する計４個の直交部３２が形成されている。直交部３２において、各垂直トラス４０が水平トラス３０に直交している。また、建物１０の外周側の部分においては、矢印Ｙ方向に沿って延びる水平トラス３０及び矢印Ｘ方向に沿って延びる水平トラス３０同士が直交する直交部３２ａが形成されている。
【００１４】
水平トラス３０及び垂直トラス４０は、一定の長さを有する任意の数の、トラス構造を有する長手形状のトラス部材を長手方向に延びるように結合して形成されている。また、水平トラス３０及び垂直トラス４０は、アルミニウム合金により形成されているが、強度及び重量が適切であれば例えば鋼鉄等の他の種類の金属材料や例えば木材等の金属以外の材料を用いて形成してもよい。
【００１５】
図３は、図２に示す養生システム１をＡ−Ａ’線で切断し、建物１０の上部を拡大して示す正面断面図である。なお、本実施の形態１では図３における図面の縦方向を矢印Ｚ方向とする。また、説明の便宜のため、図３及び図８〜図１４において垂直養生ネット２３ｂについては具体的な形状の記載を省略しており、さらに建物１０の縦方向すなわち矢印Ｙ方向（図２参照）の奥側の外周足場２２の記載を省略している。また、矢印Ｚ方向は、建物１０が建てられている地盤１３（図１参照）に対する垂直方向に対応する。水平養生ネット２３ａは、水平トラス３０から上方に突出している垂直トラス４０に干渉しないように、垂直トラス４０を避けながら設けられている。建物１０の屋上部の床部、すなわち第１階床部１２ａの上部には、例えば図示しないエレベータの機械室等に用いられる塔屋１１が建てられている。建物１０の第１階床部１２ａの下側には、屋上部のすぐ下の階の床部である第２階床部１２ｂが存在している。また、建物１０の第２階床部１２ｂの下側には、さらに図示しない第３階床部、第４階床部……が順次各階に存在する。さらに、建物１０は、各階に建物１０の側面部を構成する外壁部１２ｃを有している。
【００１６】
防音パネル２１は、建物１０の外壁部１２ｃの外側に構築された既知の防音パネルである。防音パネル２１の外側に構築された外周足場２２は、建物１０の解体作業に用いられる作業用足場である。また、外周足場２２は、複数段の足場が矢印Ｚ方向に沿って積層されて構成されており、その高さが建物１０の第１階床部１２ａの高さよりも高くなるように組み立てられている。外周足場２２の、最上段及び第２段目には、建物１０の方向に突出するブラケット２４が設けられている。最上段の外周足場２２に設けられたブラケット２４には、足場ホイスト２６が設けられている。
【００１７】
建物１０の第１階床部１２ａには、垂直トラス４０が立てられている。垂直トラス４０は矢印Ｚ方向に沿って延びるように立てられている。また垂直トラス４０の高さは、塔屋１１の高さよりも高くなるように構成されている。垂直トラス４０の下部は、アンカー４５により第１階床部１２ａに固定されている。垂直トラス上端部４１には、水平トラス吊下げホイスト４３が設けられている。垂直トラス４０に対して直交する方向、すなわち水平方向に延びる水平トラス３０は、水平トラス吊下げホイスト４３により垂直トラス上端部４１から吊下げることができ、また足場ホイスト２６により外周足場２２から吊下げることができる。水平トラス３０には、垂直トラス４０と直交する箇所の付近に垂直トラス降ろしホイスト４４が設けられている。垂直トラス降ろしホイスト４４は、後に詳しく説明するように、建物１０の解体作業において垂直トラス４０を下方に降ろすときに用いられる。なお、足場ホイスト２６、水平トラス吊下げホイスト４３及び垂直トラス降ろしホイスト４４には、例えば既知のチェーンブロック等の任意のホイストを用いることができる。
【００１８】
図４は図２に示す養生システム１の、塔屋１１の周辺の一部分を示す斜視図である。なお、図４においては説明の便宜のため、防音パネル２１、外周足場２２、水平養生ネット２３ａ及び垂直養生ネット２３ｂの記載を省略している。建物１０の第１階床部１２ａに対して矢印Ｚ方向に、塔屋１１よりも高い位置に水平トラス３０が配置されている。
【００１９】
図５は、図３に示す外周足場２２を上方から見た斜視図である。外周足場２２には所定の間隔で支柱２５が設けられている。支柱２５には、外周足場２２の段の高さ毎に水平方向に延びる踏板支持部２８が設けられている。踏板支持部２８には、外周足場２２の各段の踏板２２ａが支持されている。外周足場２２のブラケット２４には、足場ホイストフック２６ａを有する足場ホイスト２６が吊下げられている。足場ホイスト２６は、足場ホイストフック２６ａを水平トラス３０に接続して、水平トラス３０を吊下げるために設けられている。また、ブラケット２４の上側には、水平トラス３０が設けられている。さらに、ブラケット２４は支柱２５に沿って上下に移動させ、また支柱２５から取り外すことが可能に構成されている。支柱２５には、支柱２５に水平トラス３０の主材を緊結するための足場緊結クランプ２９が設けられている。
【００２０】
図６は、図５に示す外周足場２２を下から見た斜視図である。水平トラス３０には、水平トラス３０に直交する向きであり且つ水平方向に延びる棒状のトラス固定材２７が設けられている。このトラス固定材２７は水平トラス３０と図示しない対向する側の水平トラス３０の固定補助のために設けられているものであり、必ずしも設けられていなくともよい。
【００２１】
図７は、図３に示す垂直トラス４０の上部を示す斜視図である。水平トラス３０と垂直トラス４０との直交部３２には、接手部材３３が設けられている。接手部材３３は、立方体の各辺部分に棒状部材を設けることにより形成された、水平トラス３０及び垂直トラス４０を接続するための立方体状の枠状の部材である。接手部材３３は例えばアルミニウム合金又は鋼鉄等の他の種類の金属材料あるいは木材等の、水平トラス３０及び垂直トラス４０と同じ材料で形成されている。また、接手部材３３には水平方向から水平トラス３０の先端部が接続されている。さらに、接手部材３３には下側から上側に垂直トラス４０が貫通している。垂直トラス４０は接手部材３３に対して移動可能に接続されている。すなわち、垂直トラス４０は水平トラス３０に対して矢印Ｚ方向に移動可能に接続されている。これにより、接手部材３３により水平トラス３０と垂直トラス４０とが直交して接続される。なお、図７では接手部材３３により水平トラス３０と垂直トラス４０とが接続されていたが、図２に示すように垂直トラス４０が無く、複数の水平トラス３０同士が直交する直交部３２ａにおいても、接手部材３３により複数の水平トラス３０が接続されている。
【００２２】
垂直トラス上端部４１の上部には、例えばステンレス等の金属材料で形成された吊下げ部材４２が設けられている。吊下げ部材４２は、２枚の金属板を直交するように形成したものであり、各金属板の先端には水平トラス吊下げホイスト４３を吊下げるための吊下げ穴４２ａが形成されている。水平トラス吊下げホイスト４３は、水平トラス吊下げフック４３ａを有している。水平トラス吊下げフック４３ａが水平トラス３０に取り付けられることにより、水平トラス吊下げホイスト４３は水平トラス３０を吊下げている。また、水平トラス３０には、垂直トラス降ろしホイスト４４が吊下げられている。垂直トラス降ろしホイスト４４には、垂直トラス降ろしフック４４ａが設けられている。垂直トラス降ろしホイスト４４は、垂直トラス降ろしフック４４ａを垂直トラス４０に接続し、垂直トラス４０を吊下げるために設けられている。
【００２３】
次に、本実施の形態１の養生システムを用いた解体すべき建物の解体方法を説明する。
最初に、図３に示すように作業者が解体すべき建物１０の外周部に防音パネル２１を構築し、さらに防音パネル２１の外側に外周足場２２を構築する。このとき外周足場２２は、その最上段の位置が建物１０の塔屋１１よりも高い位置となるように構築される。次に、作業者は最上段の外周足場２２と、上から第２段目の外周足場２２とにブラケット２４を設置する。次に、作業者は最上段の外周足場２２のブラケット２４に足場ホイスト２６を吊下げる。
【００２４】
次に、作業者は第１階床部１２ａ上でトラス部材を組み合わせ、垂直トラス４０を組み立てる。次に、作業者は垂直トラス４０の垂直トラス上端部４１の吊下げ部材４２に、水平トラス吊下げホイスト４３を取り付ける。次に、作業者は垂直トラス４０の下端部をアンカー４５により第１階床部１２ａに固定する。次に、作業者は高所作業車等を用いて、上から第２段目の外周足場２２のブラケット２４の上部でトラス部材を組み合わせ、上から第２段目の外周足場２２のブラケット２４に水平トラス３０が支持されるように水平トラス３０を組み立てる。このとき図７に示すように、水平トラス３０と垂直トラス４０との直交部３２では、接手部材３３により水平トラス３０と垂直トラス４０とが接続される。またこのとき、図２に示すように水平トラス３０同士が直交する直交部３２ａでも、接手部材３３により水平トラス３０同士が接続される。これにより、図３に示すように上から第２段目の外周足場２２のブラケット２４に水平トラス３０が支持される。なお、図６に示すように外周足場２２にトラス固定材２７が設けられてもよい。次に、再び図３を参照して説明すると、作業者は水平トラス３０と垂直トラス４０との直交部３２付近の、水平トラス３０に垂直トラス降ろしホイスト４４を吊下げる。次に、作業者は水平トラス３０の上部に水平養生ネット２３ａを展張する。また、作業者は建物１０の外周側の水平トラス３０に垂直養生ネット２３ｂを展張する。
【００２５】
これにより、図３に示すように水平トラス３０に展張された水平養生ネット２３ａ及び垂直養生ネット２３ｂにより建物１０の上部が覆われる。なお、このときの垂直養生ネット２３ｂの矢印Ｚ方向の長さは、例えば水平トラス３０から防音パネル２１の最上部までの長さ等により、適当に調整される。これにより、以降の建物１０の解体作業において、建物１０の粉塵や建築材料の破片の飛散及び落下や、解体作業に用いられる工具等の飛散及び落下を防止することができる。
【００２６】
図８は、本発明の実施の形態１に係る建物の解体方法を用いて建物を解体するときの第１の状態を示す正面断面図である。なお、図８以下の図においては説明の便宜のため、図における右側の垂直トラス４０を第１垂直トラス４０ａと呼び、図における左側の垂直トラス４０を第２垂直トラス４０ｂと呼ぶ。作業者は、建物１０の第１階床部１２ａに図示しないクレーン等を用いて、例えば油圧ショベル等の重機６０を配置する。次に、重機６０が塔屋１１を解体する。
【００２７】
図９は、本発明の実施の形態１に係る建物の解体方法を用いて建物を解体するときの第２の状態を示す正面断面図である。次に、重機６０が建物１０の外側の第１階床部１２ａ及びこの外側の第１階床部１２ａに接続している外壁部１２ｃを解体する。
【００２８】
図１０は、本発明の実施の形態１に係る建物の解体方法を用いて建物を解体するときの第３の状態を示す正面断面図である。次に、作業者が足場ホイスト２６の足場ホイストフック２６ａ及び水平トラス吊下げホイスト４３の水平トラス吊下げフック４３ａを水平トラス３０に接続し、足場ホイスト２６及び水平トラス吊下げホイスト４３により水平トラス３０を吊下げる。次に、作業者は上から第２段目の外周足場２２のブラケット２４を取り外し、上から第３段目の外周足場２２に取り付ける。
【００２９】
図１１は、本発明の実施の形態１に係る建物の解体方法を用いて建物を解体するときの第４の状態を示す正面断面図である。次に、足場ホイスト２６及び水平トラス吊下げホイスト４３が、水平トラス３０を下降させ、上から第３段目の外周足場２２のブラケット２４に載せる。これにより、上から第３段目の外周足場２２のブラケット２４に水平トラス３０が支持される。
【００３０】
図１２は、本発明の実施の形態１に係る建物の解体方法を用いて建物を解体するときの第５の状態を示す正面断面図である。次に、作業者は足場ホイスト２６及び水平トラス吊下げホイスト４３と水平トラス３０との接続を解除する。次に、作業者は最上段の外周足場２２のブラケット２４を取り外し、上から第２段目の外周足場２２にブラケット２４を取り付け、足場ホイスト２６を上から第２段目の外周足場２２に取り付けられたブラケット２４に吊下げる。
【００３１】
図１３は、本発明の実施の形態１に係る建物の解体方法を用いて建物を解体するときの第６の状態を示す正面断面図である。次に、作業者は左側の第２垂直トラス４０ｂのアンカー４５を外す。次に、垂直トラス降ろしフック４４ａが第２垂直トラス４０ｂに接続され、垂直トラス降ろしホイスト４４が、第２垂直トラス４０ｂを吊上げて第１階床部１２ａから浮かせる。次に作業者は、解体された建物１０の建築材料等を用いた図示しないスロープ（ガラスロープ）等の手段により、重機６０を第１階床部１２ａから第２階床部１２ｂに降下させる。
【００３２】
図１４は、本発明の実施の形態１に係る建物の解体方法を用いて建物を解体するときの第７の状態を示す正面断面図である。重機６０は、吊上げた第２垂直トラス４０ｂの下方の第１階床部１２ａを解体する。次に、垂直トラス降ろしホイスト４４は、吊上げていた第２垂直トラス４０ｂを第２階床部１２ｂに降下させる。その後、作業者は垂直トラス降ろしフック４４ａと第２垂直トラス４０ｂの接続を解除する。次に作業者は、第２垂直トラス４０ｂの下端を、アンカー４５により第２階床部１２ｂに接続し、垂直トラス４０を第２階床部１２ｂに固定する。
【００３３】
図１４において右側の第１垂直トラス４０ａについても、第２垂直トラス４０ｂと同じ手順により第２階床部１２ｂに降下させる。また、図１４において図示されていない、建物１０の縦方向側、すなわち矢印Ｙ方向側に設けられている他の垂直トラス４０（図２参照）についても、第２垂直トラス４０ｂと同じ手順により第２階床部１２ｂに降下させる。このようにして、水平トラス３０及び垂直トラス４０を降下させることで、建物１０の解体工事の進捗状態に応じて水平トラス３０に展張された水平養生ネット２３ａ及び垂直養生ネット２３ｂを降下させることができる。
【００３４】
第２階床部１２ｂ以下の階についても、上記に述べた方法により建物１０の各階の解体と水平トラス３０及び垂直トラスの４０の降下を繰り返すことで、水平トラス３０に展張された水平養生ネット２３ａ及び垂直養生ネット２３ｂを階毎に順次降下させることができる。
【００３５】
本実施の形態１では水平養生ネット２３ａを高い剛性を有する水平トラス３０に展張するため、水平養生ネット２３ａのたわみが生じず、建物１０の最上部から水平養生ネット２３ａの高さを一定の高さに保つことができる。そのため、重機６０の自由な移動を阻害することがなく、解体工事の作業効率が向上する。また、水平トラス３０はワイヤーロープと比較して高い剛性を有するため、従来技術を用いたワイヤーロープで水平養生ネット及び垂直養生ネットを支持する方法に対して、風圧を水平養生ネット２３ａ及び垂直養生ネット２３ｂが受けた場合により高い風圧に耐えることが可能であり、養生システム１の倒壊の可能性が低減される。
【００３６】
また、本実施の形態１では外周足場２２及び垂直トラス４０により水平トラス３０を支持するため、従来技術を用いたワイヤーロープで水平養生ネット及び垂直養生ネット２３ｂを支持する構成で用いていた、ワイヤーロープを支持するためのＨ鋼を垂直に立てる必要がない。
【００３７】
このように、本実施の形態１の建物解体時の養生システム１は、解体すべき建物１０の垂直方向に沿って設けられた垂直支持部材である垂直トラス４０及び外周足場２２と、解体すべき建物１０の水平方向に沿って延びており、垂直トラス４０及び外周足場２２に支持される水平トラス３０と、水平トラス３０に支持され、解体すべき建物１０を上方から覆う水平養生ネット２３ａとを備えるため、水平養生ネット２３ａの下方へのたわみを防止し、建物解体工事の作業効率を向上させることができる。
【００３８】
また、水平トラス３０はトラス構造を有するため、簡単且つ安価な構成で、軽量且つ高い強度を持たせることができ、養生システム１全体の重量が低減される。
【００３９】
また、垂直支持部材は建物１０の側面部に沿って設けられた外周足場２２を含むため、対向する外周足場２２同士が水平トラス３０によって繋ぎ止められる。これにより、水平トラス３０が外周足場２２にかかる負荷の一部を分担することができ、外周足場２２の強度が向上する。また、建物１０の構造本体に変更を加えることなく、仮設工事により養生システム１を構成することができる。
【００４０】
また、垂直支持部材は、解体すべき建物１０の上部から垂直方向に沿って延びている垂直トラス４０を含むため、水平トラス３０の長さが長大である場合にも、確実に水平トラス３０を支持することができる。
【００４１】
また、垂直トラス４０及び外周足場２２は、解体すべき建物１０の高度の変化に対応して、水平トラス３０の垂直方向位置を変更することが可能に構成されているため、建物１０の解体の進行状況に対応して水平養生ネット２３ａ及び垂直養生ネット２３ｂを適切な高さに展張することができる。
【００４２】
また、本実施の形態の建物の解体方法は、解体すべき建物１０の垂直方向に沿って垂直支持部材である垂直トラス４０及び外周足場２２を設ける工程と、垂直トラス４０及び外周足場２２を設ける工程の後で、解体すべき建物１０の水平方向に沿って延びており、垂直トラス４０及び外周足場２２に支持される水平トラス３０を設ける工程と、水平トラス３０を設ける工程の後で、水平トラス３０に支持され、解体すべき建物１０を上方から覆う水平養生ネット２３ａを設ける工程と、水平養生ネット２３ａを設ける工程の後で、解体すべき建物１０を解体する工程とを有するため、水平養生ネット２３ａの下方へのたわみを防止し、建物解体工事の作業効率を向上させることができる。
【００４３】
また、解体すべき建物１０を解体する工程は、解体すべき建物１０の解体が進捗したことにより解体すべき建物１０の高度が変化した場合に、水平トラス３０の垂直方向位置を変更する工程を有するため、建物１０の解体の進行状況に対応して水平養生ネット２３ａを及び垂直養生ネット２３ｂを適切な高さに展張することができる。
【００４４】
また、垂直支持部材は、解体すべき建物１０の上部から垂直方向に沿って延びている垂直トラス４０を含み、解体すべき建物１０を解体する工程は、水平トラス３０の垂直方向位置を変更する工程の後で、解体すべき建物１０の上部のうち垂直トラス４０が設けられている位置以外を解体する工程と、次に、解体すべき建物１０の上部のうち垂直トラス４０が設けられている位置を解体する工程と、次に、垂直トラス４０を下降させる工程とを含むため、解体すべき建物１０の上部を垂直トラス４０の支持部として用いることができ、建物１０の構造本体に変更を加えることなく、仮設工事により簡単かつ安価に建物を解体することができる。
【００４５】
なお、本実施の形態１では、垂直トラス４０を設けていたが、建物１０が狭小である等の理由により必要な水平トラス３０の全長が短く重量が小さい場合には、垂直トラス４０を設けず、外周足場２２のみによって水平トラス３０を支持してもよい。例えば、水平トラス３０がアルミニウム合金により形成されている場合には、水平トラス３０の全長が約２０ｍ以下であれば、垂直トラス４０を設けなくとも水平トラス３０を支持することができる。なお、水平トラスを設けなくとも外周足場２２によって支持することができる水平トラス３０の長さは、水平トラスの材質等によって決まる。
【００４６】
また、本実施の形態１では、図２に示すように矢印Ｘ方向に沿って計４本の水平トラス３０が設けられ、矢印Ｙ方向に沿って計４本の水平トラス３０が設けられていたが、水平トラス３０及び垂直トラス４０の本数及び長さは解体すべき建物１０の大きさや構造、水平養生ネット２３ａ及び垂直養生ネット２３ｂの重量及び建物１０の周辺の立地状況によって適切な数に変更してもよい。
【００４７】
また、本実施の形態１では、高所作業車等を用いて、上から第２段目の外周足場２２の位置でトラス部材を組み合わせ、上から第２段目の外周足場２２のブラケット２４に水平トラス３０が支持されるように水平トラス３０を構成していたが、あらかじめ建物１０の第１階床部１２ａでトラス部材を組み合わせて水平トラス３０を組み立てておき、ホイスト等の揚重装置により水平トラス３０を持ち上げ、上から第２段目の外周足場２２にブラケット２４を取り付け、水平トラス３０をこのブラケット２４に支持されるように設置してもよい。
【００４８】
実施の形態２．
次に、本発明の建物解体時の養生システム及び建物の解体方法の実施の形態２について説明する。なお、実施の形態２において、実施の形態１の図１〜図１４の参照符号と同一の符号は、同一または同様な構成要素であるのでその詳細な説明は省略する。本実施の形態２に係る養生システム及び建物の解体方法は、重機を建物の上部に配置することなく建物を解体可能な養生システム及び建物の解体方法である。
図１５は、本発明の実施の形態２に係る養生システム１ａの平面図である。建物１０の縦方向、（矢印Ｙ方向）の手前側且つ、横方向（矢印Ｘ方向）の中央部に外周足場２２ｂが設けられている。建物１０の上方には、矢印Ｘ方向に沿って計３本の水平トラス３０が設けられ、矢印Ｙ方向に沿って計５本の水平トラス３０が設けられている。
【００４９】
図１６は、図１５に示す養生システム１ａの正面図である。なお、図１６においては、建物１０の縦方向すなわち矢印Ｙ方向（図１５参照）の奥側の外周足場２２の記載を省略している。建物１０の縦方向、（矢印Ｙ方向）の手前側且つ、横方向（矢印Ｘ方向）の中央部には、防音パネル２１と外周足場２２ｂとが設けられている。外周足場２２ｂの最上段には１個のブラケット２４が設けられており、このブラケット２４には足場ホイスト２６が吊下げられている。また、外周足場２２ｂの上から第２段目には、矢印Ｘ方向の一端及び他端にブラケット２４が各１個設けられており、水平トラス３０を支持している。建物１０の縦方向手前側の外周足場２２ｂと、建物１０の左右方向側の外周足場２２との間には、外周足場が設けられていない空間部２２ｃが存在している。また、実施の形態１とは異なり垂直トラス４０は設けられていない。その他の構成は実施の形態１と同じである。
【００５０】
次に、本発明の実施の形態２の養生システムを用いた解体すべき建物の解体方法を説明する。図１５に示すように、作業者は、建物１０の縦方向（矢印Ｙ方向）手前側の、横方向（矢印Ｘ方向）の中央部に外周足場２２ｂを設ける。また、建物１０の縦方向奥側に建物１０の横方向の外壁部に沿って外周足場を設け、建物１０の横方向の左右側に、建物１０の縦方向の外壁部１２ｃに沿って外周足場２２を設ける。次に、作業者は最上段の外周足場２２，２２ｂと、上から第２段目の外周足場２２，２２ｂとにブラケット２４を設置する。次に、作業者は最上段の外周足場２２，２２ｂのブラケット２４に足場ホイスト２６を吊下げる。次に、作業者は上から第２段目の外周足場２２，２２ｂのブラケット２４に水平トラス３０が支持されるように水平トラス３０を組み立てる。次に、作業者は水平トラス３０に実施の形態１と同じように水平養生ネット２３ａを展張する。次に、作業者は建物１０の縦方向手前側以外の三方向に垂直養生ネット２３ｂを展張する。これにより、建物１０の上部が水平養生ネット２３ａ及び垂直養生ネット２３ｂにより覆われる。
【００５１】
建物１０の縦方向手前側の水平トラス３０の中央部は、外周足場２２ｂに設けられたブラケット２４によって支持される。また、水平トラス３０を下降させるときには、建物１０の縦方向手前側の水平トラス３０の中央部が、外周足場２２ｂのブラケット２４に吊下げられた足場ホイスト２６によって支持される。そのため、実施の形態１のように垂直トラス４０（図３参照）を設けなくとも、水平トラス３０を支持することができる。
【００５２】
図１７は、図１５に示す養生システム１ａを使用した建物１０の解体作業例である。建物１０の縦方向手前側の外周足場２２ｂと、建物１０の左右方向側の外周足場２２との間には、外周足場が設けられていない空間部２２ｃが存在している。そのため、建物１０が建てられている地盤１３に長尺のアーム及びブームを含む作業装置６１を有する重機６０ａを配置し、空間部２２ｃに作業装置６１を通して建物１０を解体することができる。そのため、建物１０が狭小であり重機６０ａを建物１０の第１階床部１２ａに配置することができない場合であっても、地盤１３に配置した重機６０ａにより建物１０を解体することができる。
【００５３】
このように、本実施の形態２に係る建物解体時の養生システム１ａは、外周足場２２，２２ｂが、解体すべき建物１０の少なくとも１つの外壁部１２ｃに沿って設けられた外周足場２２ｂと、少なくとも１つの外壁部１２ｃに対して異なる方向に延びる解体すべき建物１０の外壁部１２ｃに沿って設けられた外周足場２２とを有し、外周足場２２ｂと外周足場２２との間に空間部２２ｃを有するため、建物１０の第１階床部１２ａに重機６０ａを配置しなくとも、地盤１３に配置した重機６０ａにより建物１０を解体することができる。
【００５４】
また、本実施の形態２に係る解体すべき建物１０の解体方法は、垂直支持部材が、解体すべき建物１０の外壁部１２ｃに沿って設けられた外周足場２２，２２ｂを含み、外周足場２２，２２ｂを設ける工程は、解体すべき建物１０の少なくとも１つの外壁部１２ｃに沿う外周足場２２ｂと、少なくとも１つの外壁部１２ｃに対して異なる方向に延びる解体すべき建物１０の外壁部１２ｃに沿う外周足場２２とを、外周足場２２ｃと外周足場２２との間に空間部２２ｃが存在するように設ける工程を含むため、建物１０の第１階床部１２ａに重機６０ａを配置しなくとも、地盤１３に配置した重機６０ａにより建物１０を解体することができる。
【００５５】
なお、本実施の形態２では、外周足場２２ｂは建物１０の縦方向手前側にのみ設けられていたが、建物１０の縦方向奥側の外周足場２２に代えてさらに外周足場２２ｂを設けてもよいし、建物１０の横方向のいずれか一方又は両方の外周足場２２に代えて外周足場２２ｂを設けてもよい。
【００５６】
また、実施の形態１及び２では、水平トラス３０を吊下げる装置として足場ホイスト２６、水平トラス吊下げホイスト４３を設け、垂直トラス４０を吊下げる装置として垂直トラス降ろしホイスト４４を設けていたが、水平トラス３０及び垂直トラス４０を吊下げる装置はこれらに限定されるものではなく、これらに替えて例えばクレーン等の任意の吊下げ装置を用いてもよい。
【００５７】
また、実施の形態１及び２では、水平トラス３０及び垂直トラス４０は複数のトラス部材を組み合わせて構成されていたが、それぞれ単一のトラス部材から構成されていてもよい。また、水平トラス３０に替えてトラス構造を有さない水平支持部材を用いてもよいし、垂直トラス４０に替えてトラス構造を有さない柱状部材を用いてもよい。
【００５８】
また、実施の形態１及び２では、養生部材として水平養生ネット２３ａ及び垂直養生ネット２３ｂを用いていたが、これ以外の適当な養生部材を用いてもよい。例えば、養生部材として既知の養生シートを用いてもよい。また、本実施の形態では水平養生ネット２３ａ及び垂直養生ネット２３ｂは別体のネットとして形成されていたが、水平養生ネット２３ａ及び垂直養生ネット２３ｂが一体に形成されたネットであってもよい。
【００５９】
また、実施の形態１及び２の建物の解体方法の具体的な手順は、建物の解体に支障を生じなければ適宜手順を変更し、入れ替えてもよいし、不要な手順を省略してもよい。また、必要な手順を追加してもよい。
【符号の説明】
【００６０】
１０  建物、２２，２２ｂ  外周足場（垂直支持部材、作業用足場）、２２ｃ  空間部、２３ａ  水平養生ネット（養生部材）、２３ｂ  垂直養生ネット（養生部材）、３０  水平トラス（水平支持部材）、４０  垂直トラス（垂直支持部材、柱状部材）。
【要約】
【課題】養生ネットの下方へのたわみを防止し、建物解体工事の作業効率を向上させることができる建物解体時の養生システム及び解体すべき建物の解体方法を提供する。
【解決手段】養生システム１は、解体すべき建物１０の垂直方向に沿って設けられた垂直支持部材である垂直トラス４０及び外周足場２２と、解体すべき建物１０の水平方向に沿って延びており、垂直トラス４０及び外周足場２２に支持される水平トラス３０と、水平トラス３０に支持され、解体すべき建物１０を上方から覆う水平養生ネット２３ａとを備える。
【選択図】図３【図１】
0006879613.tif 000002
【図２】
0006879613.tif 000003
【図３】
0006879613.tif 000004
【図４】
0006879613.tif 000005
【図５】
0006879613.tif 000006
【図６】
0006879613.tif 000007
【図７】
0006879613.tif 000008
【図８】
0006879613.tif 000009
【図９】
0006879613.tif 000010
【図１０】
0006879613.tif 000011
【図１１】
0006879613.tif 000012
【図１２】
0006879613.tif 000013
【図１３】
0006879613.tif 000014
【図１４】
0006879613.tif 000015
【図１５】
0006879613.tif 000016
【図１６】
0006879613.tif 000017
【図１７】
0006879613.tif 000018